(57)【要約】【課題】多数の撮像装置が一定時間内にルールに合致した場合であっても、監視者が画像を認識可能にすることを目的とする。【解決手段】複数の撮像装置のうち表示ルールに合致した撮像装置の画像を第１の表示形式でディスプレイに表示する第１の表示制御手段と、第１の表示形式でディスプレイに表示されている複数の画像がディスプレイの表示上限に達した場合、複数の画像のうちの所定の画像を第２の表示形式でディスプレイに表示する第２の表示する第２の表示制御手段と、を有することによって課題を解決する。【選択図】図６
2015154465.tif 000002
【特許請求の範囲】
【請求項１】
ネットワークを介して通信可能な複数の撮像装置のうち表示ルールに合致した撮像装置の画像を第１の表示形式でディスプレイに表示する第１の表示制御手段と、
前記第１の表示形式で前記ディスプレイに表示されている複数の画像が前記ディスプレイの表示上限に達した場合、前記複数の画像のうちの所定の画像を第２の表示形式で前記ディスプレイに表示する第２の表示する第２の表示制御手段と、
を有する表示制御装置。
【請求項２】
前記第１の表示制御手段は、表示ルールに合致した撮像装置の画像を前記第１の表示形式として第１のタブが選択された場合に前記ディスプレイに表示し、
前記第２の表示制御手段は、前記選択された画像を前記第２の表示形式として第２のタブが選択された場合に前記ディスプレイに表示する請求項１記載の表示制御装置。
【請求項３】
表示ルールを設定する設定手段と、
撮像装置ごとに前記設定された表示ルールに合致するか否かを判定する判定手段と、
を更に有し、
前記第１の表示制御手段は、前記複数の撮像装置のうち前記表示ルールに合致すると判定された撮像装置の画像を第１の表示形式でディスプレイに表示する請求項１又は２記載の表示制御装置。
【請求項４】
前記表示ルールには、表示条件と、表示条件に合致した場合の表示期間と、が含まれ、
前記判定手段は、撮像装置ごとに前記設定された表示ルールの表示条件に合致するか否かを判定し、
前記第１の表示制御手段は、前記複数の撮像装置のうち前記表示ルールの表示条件に合致すると判定された撮像装置の画像を前記表示ルールの表示期間の間、第１の表示形式でディスプレイに表示する請求項３記載の表示制御装置。
【請求項５】
前記第２の表示制御手段は、前記第１の表示形式で前記ディスプレイに表示されている複数の画像の表示枚数が最大数に達した場合、前記ディスプレイの表示上限に達したと判定し、前記複数の画像から前記第２の表示形式でディスプレイに表示する画像を選択する請求項１乃至４何れか１項記載の表示制御装置。
【請求項６】
前記第２の表示制御手段は、前記第１の表示形式で前記ディスプレイに表示されている複数の画像の表示領域が最大表示領域に達した場合、前記ディスプレイの表示上限に達したと判定し、前記複数の画像から前記第２の表示形式でディスプレイに表示する画像を選択する請求項１乃至４何れか１項記載の表示制御装置。
【請求項７】
前記第２の表示制御手段は、前記第１の表示形式で前記ディスプレイに表示されている複数の画像が前記ディスプレイの表示上限に達した場合、前記複数の画像のうち優先度に応じて前記第２の表示形式でディスプレイに表示する画像を選択する請求項１乃至６何れか１項記載の表示制御装置。
【請求項８】
前記第２の表示制御手段は、前記複数の画像のうち表示開始から最も長く表示されている画像を前記優先度が最も高い画像とし、前記画像を選択する請求項７記載の表示制御装置。
【請求項９】
前記第２の表示制御手段は、前記複数の画像のうち監視者が確認済みの画像を前記優先度が最も高い画像とし、前記画像を選択する請求項７記載の表示制御装置。
【請求項１０】
前記第１の表示形式で前記ディスプレイに表示されている複数の画像のうち監視者の選択操作に応じて確認済み画像を決定する決定手段を更に有し、
前記第２の表示制御手段は、前記決定された画像を監視者が確認済みの画像として選択する請求項９記載の表示制御装置。
【請求項１１】
前記第２の表示形式は前記第１の表示形式と比較して撮像装置から画像を受信するための通信負荷が小さい表示形式である請求項１乃至１０何れか１項記載の表示制御装置。
【請求項１２】
ネットワークを介して通信可能な複数の撮像装置のうち表示ルールに合致した撮像装置の画像を第１のタブの表示領域に表示し、前記第１のタブの表示領域の上限に達した場合は、前記第１のタブの表示領域に表示されている複数の画像のうちの所定の画像を第２のタブの表示領域に移動させる表示制御装置。
【請求項１３】
前記第１のタブの表示領域の上限に達した場合は、前記第１のタブの表示領域に表示されている複数の画像のうち表示開始から最も長く表示されている画像を選択し、前記選択した画像を第２のタブの表示領域に移動させる請求項１２記載の表示制御装置。
【請求項１４】
表示制御装置が実行する表示制御方法であって、
ネットワークを介して通信可能な複数の撮像装置のうち表示ルールに合致した撮像装置の画像を第１の表示形式でディスプレイに表示する第１の表示制御ステップと、
前記第１の表示形式で前記ディスプレイに表示されている複数の画像が前記ディスプレイの表示上限に達した場合、前記複数の画像から画像のうちの所定の画像を第２の表示形式で前記ディスプレイに表示する第２の表示する第２の表示制御ステップと、
を含む表示制御方法。
【請求項１５】
表示制御装置が実行する表示制御方法であって、
ネットワークを介して通信可能な複数の撮像装置のうち表示ルールに合致した撮像装置の画像を第１のタブの表示領域に表示するステップと、
前記第１のタブの表示領域の上限に達した場合は、前記第１のタブの表示領域に表示されている複数の画像のうちの所定の画像を第２のタブの表示領域に移動させるステップと、
を含む表示制御方法。
【請求項１６】
コンピュータに、
ネットワークを介して通信可能な複数の撮像装置のうち表示ルールに合致した撮像装置の画像を第１の表示形式でディスプレイに表示する第１の表示制御手順と、
前記第１の表示形式で前記ディスプレイに表示されている複数の画像が前記ディスプレイの表示上限に達した場合、前記複数の画像のうちの所定の画像を第２の表示形式で前記ディスプレイに表示する第２の表示する第２の表示制御手順と、
を実行させるためのプログラム。
【請求項１７】
コンピュータに、
ネットワークを介して通信可能な複数の撮像装置のうち表示ルールに合致した撮像装置の画像を第１のタブの表示領域に表示する手順と、
前記第１のタブの表示領域の上限に達した場合は、前記第１のタブの表示領域に表示されている複数の画像のうちの所定の画像を第２のタブの表示領域に移動させる手順と、
を実行させるためのプログラム。
【発明の詳細な説明】
【技術分野】
【０００１】
本発明は、表示制御装置、表示制御方法及びプログラムに関する。
【背景技術】
【０００２】
従来から、監視映像を録画すると共に、監視映像のライブ表示や録画再生表示を行なう監視システムがある。
このような監視システムの映像表示方法に関して、特定のカメラの映像を動的に表示する表示方法の一例が特許文献１に開示されている。
【先行技術文献】
【特許文献】
【０００３】
【特許文献１】特表２０１０−５１０６９８号公報
【発明の概要】
【発明が解決しようとする課題】
【０００４】
特許文献１に挙げた従来の表示装置に関して、特定カメラの映像を動的に表示する際の課題を、以下に示す。
従来の表示装置では、ユーザーによりルールが設定され、ルールに合致したカメラの画像が表示領域に表示される。例えば、ユーザーにより「レベル３以上のイベントが発生したカメラ」というルールが設定された場合、そのルールに合致したカメラの画像が表示され、一定時間経過後に削除される。
表示可能領域はカメラ６台分しかなく、７台目の画像を表示する必要がある場合、従来の表示装置では、最も古いカメラの映像を削除する。例えば、最初にイベントが発生したカメラ１の画像が表示領域から削除され、カメラ７の画像が表示領域に表示される。
上述の例では、一定時間が経過する前に表示可能台数以上の数のカメラがルールに合致した場合を示している。更に顕著な例としては、一瞬の間に１０台すべてのカメラがルールに合致した場合、監視者が表示画面でイベント発生を視認する前に、表示可能台数を超えた４台の画像は削除され、６台の画像のみが表示されることになる。
以上のように、従来の表示装置では、多数のカメラが一定時間内にルールに合致した場合、監視者がすべての画像を認識することが困難であった。
【０００５】
本発明は、多数の撮像装置が一定時間内にルールに合致した場合であっても、監視者が画像を認識可能にすることを目的とする。
【課題を解決するための手段】
【０００６】
そこで、本発明は、ネットワークを介して通信可能な複数の撮像装置のうち表示ルールに合致した撮像装置の画像を第１の表示形式でディスプレイに表示する第１の表示制御手段と、前記第１の表示形式で前記ディスプレイに表示されている複数の画像が前記ディスプレイの表示上限に達した場合、前記複数の画像のうちの所定の画像を第２の表示形式で前記ディスプレイに表示する第２の表示する第２の表示制御手段と、を有する。
【発明の効果】
【０００７】
本発明によれば、多数の撮像装置が一定時間内にルールに合致した場合であっても、監視者が画像を認識可能にすることができる。
【図面の簡単な説明】
【０００８】
【図１】ネットワーク監視システムの構成の一例を示す図である。
【図２】表示ルールの一例を示す図である。
【図３】実施形態１の表示画面の一例を示す図（その１）である。
【図４】実施形態１の表示画面の一例を示す図（その２）である。
【図５】実施形態１の表示画面の一例を示す図（その３）である。
【図６】表示制御処理の一例を示すフローチャート（その１）である。
【図７】表示制御処理の一例を示すフローチャート（その２）である。
【図８】表示制御処理の一例を示すフローチャート（その３）である。
【図９】実施形態２の表示画面の一例を示す図（その１）である。
【図１０】実施形態２の表示画面の一例を示す図（その２）である。
【図１１】実施形態２の表示画面の一例を示す図（その３）である。
【発明を実施するための形態】
【０００９】
以下、本発明の実施形態について図面に基づいて説明する。
【００１０】
＜実施形態１＞
図１は、ネットワーク監視システムの構成の一例を示す図である。図１に示すネットワーク監視システムは、ネットワークカメラ１０１と、録画装置１０２と、表示制御装置１０３と、がＬＡＮ等のネットワーク１０４を介して通信可能に接続されている。ネットワークカメラ１０１は、撮像した画像データをネットワーク１０４に配信する。また、ネットワークカメラ１０１は、マイクや各種センサーから取得した音声データやセンサー検知情報、撮像した画像を解析した画像解析情報及びそれら情報から生成された各種イベントデータを配信する。録画装置１０２は、ネットワークカメラ１０１からネットワーク１０４を介して配信された各種データを、ハードディスク等の記録媒体に記録する。記録媒体は、録画装置１０２内のハードディスクとして説明を行うが、録画装置１０２に外部接続された記録媒体でもよいし、ネットワーク１０４に別途接続されたＮＡＳ（Ｎｅｔｗｏｒｋ  Ａｔｔａｃｈｅｄ  Ｓｔｏｒａｇｅ）であってもよい。
【００１１】
表示制御装置１０３は、ネットワークカメラ１０１から配信された映像データをライブ表示し、また、録画装置１０２によって記録媒体に記録されたデータを再生表示する装置である。表示制御装置１０３は、図１に示すように独立してネットワーク１０４に接続されてもよいし、録画装置１０２にライブ表示・再生表示処理を行う機能を持たせて録画再生装置としてもよい。ネットワーク１０４は、ネットワークカメラ１０１と、録画装置１０２と、表示制御装置１０３とが相互に通信可能に接続される。また、この例ではＬＡＮとしたが、無線又は専用ケーブルを使用したネットワークを構築してもよい。以上のネットワークカメラ１０１と、録画装置１０２と、表示制御装置１０３と、ネットワーク１０４とは図１ではそれぞれ一つを図示したが、それぞれが複数であってもよい。
【００１２】
続いて装置ごとの構成を、図１を用いて説明する。ネットワークカメラ１０１は、通信制御部１０５で表示制御装置１０３や録画装置１０２から受信したコマンドに応じて、ネットワーク１０４を介して画像データを配信する共に、各種カメラ制御を実行する。画像入力部１０６は、ビデオカメラ１０７による撮影画像（動画及び静止画）を取り込む。取り込まれた撮影画像は、データ処理部１０８によってＭｏｔｉｏｎＪＰＥＧ圧縮処理されると共に、現在のパン角度、チルト角度、ズーム値等のカメラ設定情報がヘッダー情報に付与される。更にデータ処理部１０８では、撮影画像を解析して動物体の検出等の画像処理を行い、各種イベントデータを生成する。カメラ制御部１０９は、受信したコマンドを通信制御部１０５が解釈した後、コマンドで指定された制御内容に応じてビデオカメラ１０７を制御する。例えば、カメラ制御部１０９は、ビデオカメラ１０７のパン・チルト角度等を制御する。データ処理部１０８は、ビデオカメラ１０７からの画像信号を取り込み、ＭｏｔｉｏｎＪＥＰＧで圧縮して、各種イベントデータを共に通信制御部１０５に渡しネットワーク１０４に送出する。別途カメラに接続されたマイクや外部センサーがある場合、データ処理部１０８は、それらから取得したイベントデータも通信制御部１０５を介してネットワーク１０４に配信する。
【００１３】
録画装置１０２は、コマンド生成部１１１によって録画映像取得のためのコマンドを生成する。生成されたコマンドは通信制御部１１２によってネットワーク１０４を介してネットワークカメラ１０１に送信される。ネットワークカメラ１０１から受信した画像データは、データ処理部１１３によって記録可能な形式に変換される。ここで記録対象となるデータには、ネットワークカメラ１０１のデータ処理部１０８で付与された、パン、チルト、ズーム値等の撮影時のカメラ情報や各種イベントデータを含む。記録対象のデータは、記録制御部１１４によって記録部１１５に記録される。
【００１４】
表示制御装置１０３では、通信制御部１１８によりネットワークを介してネットワークカメラ１０１や録画装置１０２から送信された画像データ、各種イベントデータ、「録画中」等のカメラ状態情報を受信する。また、ユーザーによる操作は操作入力部１１６により受け付ける。入力された操作により、コマンド生成部１１７で各種コマンドが生成される。ネットワークカメラ１０１に対するライブ映像表示操作や雲台制御操作であれば、ネットワークカメラ１０１に対する要求コマンドを通信制御部１１８から送信する。ライブ映像表示操作であれば、ネットワークカメラから受信した画像データをデータ処理部１１９が伸長処理し、表示処理部１２０が表示部１２１に表示する。一方、ユーザーによる操作が録画映像の再生操作であれば、コマンド生成部１１７では録画装置１０２に対して録画データ要求コマンドを生成する。生成されたコマンドは通信制御部１１８によって録画装置１０２に送信される。録画装置１０２から受信した画像データは、データ処理部１１９によって伸長処理される。伸長された画像は表示処理部１２０によって表示部１２１に表示される。更に操作入力部１１６を介して、表示部１２１に表示するネットワークカメラを選択するための表示ルールがユーザーにより設定される。表示処理部１２０では、ユーザーにより決められた表示ルールと、受信したイベントデータやカメラ状態等の情報とを比較し、ルールに合致した場合は表示部１２１に画像を表示する。表示部１２１は、ディスプレイの一例である。
【００１５】
図１に示した各装置の構成は、ハードウェアとして各装置に実装されていてもよいし、構成のうちソフトウェアで実装可能なものはソフトウェアとして各装置に実装されてもよい。より具体的に説明すると、ネットワークカメラ１０１の通信制御部１０５、画像入力部１０６、データ処理部１０８、カメラ制御部１０９はソフトウェアとして実装されてもよい。また、表示制御装置１０３のコマンド生成部１１７、通信制御部１１８、データ処理部１１９、表示処理部１２０はソフトウェアとして実装されてもよい。また、録画装置１０２のコマンド生成部１１１、通信制御部１１２、データ処理部１１３、記録制御部１１４はソフトウェアとして実装されてもよい。上記の構成がソフトウェアとして各装置に実装される場合、各装置は少なくともハードウェア構成としてＣＰＵとメモリとを有し、ＣＰＵがメモリ等に記憶されているプログラムに基づき処理を実行する。このことによって各装置におけるソフトウェアの機能が実現される。
【００１６】
次に、図２に表示ルールの一例を示す。表示ルール２０１は、ネットワークカメラの状態が「録画中」であり、かつ、画像解析結果により「動き検知イベント」が発生した場合に、３０秒間画像を表示することを示したルールである。表示ルール２０１ではイベントレベルは特に指定していない。表示ルール２０２は、「動き検知イベント」、又は「カメラに接続された外部センサーイベント」、又は「レベル３以上のイベント」の何れかが発生した場合に３０秒間画像を表示することを示したルールである。ここで、表示ルールに設定可能な表示条件としては、図２に示したカメラ状態、イベント種別、イベントレベル以外にも、以下のものが設定可能である。即ち、ＩＰアドレス等のネットワーク情報、ネットワークカメラにつけられた名前、カメラグループにつけられた名前、録画データの保存先である録画装置の名前等、様々な条件が設定可能である。図２に示される様に表示ルールには表示条件と表示期間とが含まれている。表示ルールは表示制御装置１０３のメモリ等に記憶される。
【００１７】
次に、図３から図５までを用いて、表示制御装置１０３の表示部１２１に表示される表示画面を説明する。図３において、画面３０１は表示画面を示している。また、表示領域３０４にはネットワークカメラからの画像を表示するか否かを決定する表示ルールが示されている。実施形態１の表示画面は、それぞれ異なる表示領域３０５と表示領域３０６とを持つ二つのタブ、即ち「ｎｅｗ」タブ３０２と「ｏｌｄ」タブ３０３とを有する。ここで、「ｎｅｗ」タブ３０２の表示領域３０５は９分割されている。一方「ｏｌｄ」タブ３０３の表示領域３０６は１６分割されている。図３の例ではネットワークカメラの画像は何れの表示領域においても表示されていない。即ち、何れのネットワークカメラも表示ルールに合致していない。二つのタブはユーザーによって任意に選択可能である。
【００１８】
次に図４では、図３の状態からカメラ１からカメラ９までの順番に表示ルールに合致した例を示している。「ｎｅｗ」タブの表示領域４０１には表示ルールに合致したカメラ１からカメラ９までの画像が表示される。一方、図４では、「ｏｌｄ」タブの表示領域４０２に表示されているネットワークカメラの画像はない。
【００１９】
次に図５では、図４の状態から更に、カメラ１０からカメラ１４までの順番に表示ルールに合致した例を示している。この例では、新しく表示ルールに合致したカメラ１０からカメラ１４までの画像を「ｎｅｗ」タブの表示領域に表示しようとするが、「ｎｅｗ」タブの表示領域には既に９台のカメラ画像が表示されているため、このままでは表示できない。ここで、「ｎｅｗ」タブの表示領域に表示が開始されてからもっとも古いカメラ１からカメラ５までの画像を「ｏｌｄ」タブの表示領域５０２に移動し、カメラ１０からカメラ１４までを「ｎｅｗ」タブの表示領域５０１に表示する。このとき、表示制御装置１０３は、「ｏｌｄ」タブの表示領域の画像は「ｎｅｗ」タブの表示領域の画像より表示サイズを小さくする。このことで、より多くのカメラ画像を「ｏｌｄ」タブの表示領域に表示できるようになる。
【００２０】
次に、実施形態１の表示制御処理の一例を、フローチャートを用いて示す。図６は、何れのタブの表示領域にも表示されていないネットワークカメラ（ここではカメラＡとする）の画像に関する表示制御処理の一例を示すフローチャートである。まず、表示制御装置１０３は、カメラＡのカメラ状態やイベントデータといった各種データを受信する（ｓ６０１）。このとき、カメラＡや録画装置に対して表示制御装置から各種データの送信要求を出してもよいし、各種データが定期的に送信されるように設定してもよい。次に、表示制御装置１０３は、受信した各種データと設定されている表示ルールとを比較し、条件に合致するか否かを判定する（ｓ６０２）。比較の結果、合致していない場合、表示制御装置１０３は、ｓ６０１の処理に戻る。一方、比較の結果、表示条件に合致した場合、表示制御装置１０３は、ｓ６０３以降の処理によりカメラＡの画像を「ｎｅｗ」タブの表示領域に表示する。
【００２１】
まず、表示制御装置１０３は、「ｎｅｗ」タブの表示領域が表示上限に達しているか否かの判定を行う（ｓ６０３）。ここで表示上限とは、表示可能な画像枚数（表示枚数、カメラ台数）の最大数や、表示可能領域の最大面積（複数の画像の表示領域が最大表示領域）等を意味する。「ｎｅｗ」タブの表示領域が表示上限に達していない場合、表示制御装置１０３は、「ｎｅｗ」タブの表示領域にカメラＡの画像を表示する（ｓ６０８）。一方、「ｎｅｗ」タブの表示領域が表示上限に達している場合、表示制御装置１０３は、「ｎｅｗ」タブの表示領域に表示されているネットワークカメラの中で「ｎｅｗ」タブの表示領域で最も古いネットワークカメラ（カメラＢとする）の画像を選択する。最も古いネットワークカメラの画像とは、表示領域において最も長く表示されているネットワークカメラの画像のことである。そして、表示制御装置１０３は、選択した画像を「ｏｌｄ」タブの表示領域に移動し（ｓ６０４）、カメラＡの画像を「ｎｅｗ」タブの表示領域に表示する（ｓ６０８）。
【００２２】
ｓ６０４の処理をより具体的に説明すると、カメラＢの画像を「ｏｌｄ」タブの表示領域に移動する際、まず、表示制御装置１０３は、「ｏｌｄ」タブの表示領域が表示上限に達しているか否かを判定する（ｓ６０５）。上限に達していない場合、表示制御装置１０３は、「ｏｌｄ」タブの表示領域にカメラＢの画像を表示する（ｓ６０７）。上限に達していた場合、表示制御装置１０３は、「ｏｌｄ」タブの表示領域に表示されているネットワークカメラの中で「ｏｌｄ」タブの表示領域に表示を開始してから最も長く表示されているネットワークカメラの画像を削除する（ｓ６０６）。その後、表示制御装置１０３は、カメラＢの画像を「ｏｌｄ」タブの表示領域に表示する（ｓ６０７）。
【００２３】
次に図７は、「ｎｅｗ」タブの表示領域に表示されているネットワークカメラ（カメラＣとする）に関する表示制御処理の一例を示すフローチャートである。まず、表示制御装置１０３は、カメラＣのカメラ状態やイベントデータといった各種データを受信する（ｓ７０１）。次に、表示制御装置１０３は、受信した各種データと設定されている表示ルールとを比較し、条件に合致するか否かを判定する（ｓ７０２）。ここで合致している場合、表示制御装置１０３は、ｓ７０１に戻る。合致していない場合、表示制御装置１０３は、「ｎｅｗ」タブの表示領域に表示開始されてから所定の時間が経過したか否かを更に判定する（ｓ７０３）。ここで所定の時間とは、表示ルールとしてユーザーが設定した表示期間を意味する。所定の時間が経過していない場合、表示制御装置１０３は、ｓ７０１に戻る。所定の時間が経過した場合、表示制御装置１０３は、カメラＣの画像を「ｏｌｄ」タブの表示領域に移動する（ｓ７０４）。
【００２４】
ｓ７０４の処理をより具体的に説明すると、カメラＣの画像を「ｏｌｄ」タブの表示領域に移動する際、まず、表示制御装置１０３は、「ｏｌｄ」タブの表示領域が表示上限に達しているか否かを判定する（ｓ７０５）。上限に達していない場合、表示制御装置１０３は、「ｏｌｄ」タブの表示領域にカメラＣの画像を表示する（ｓ７０７）。上限に達していた場合、表示制御装置１０３は、「ｏｌｄ」タブの表示領域に表示されているネットワークカメラの中で「ｏｌｄ」タブの表示領域に表示を開始してから最も長く表示されているネットワークカメラの画像を選択し、削除する（ｓ７０６）。そして、表示制御装置１０３は、カメラＣの画像を「ｏｌｄ」タブの表示領域に表示する（ｓ７０７）。
【００２５】
次に図８は、「ｏｌｄ」タブの表示領域に表示されているネットワークカメラ（カメラＤとする）に関する表示制御処理の一例を示すフローチャートである。まず、表示制御装置１０３は、カメラＤのカメラ状態やイベントデータといった各種データを受信する（ｓ８０１）。次に、表示制御装置１０３は、「ｏｌｄ」タブの表示領域に表示開始されてから所定の時間が経過したか否かを判定する（ｓ８０２）。ここでの所定時間は、ユーザーが設定可能なようにしてもよいし、予め決められた値を使用してもよい。所定の時間が経過していない場合、表示制御装置１０３は、ｓ８０１に戻る。一方、所定の時間が経過している場合、表示制御装置１０３は、受信した各種データと設定されている表示ルールとを比較し、条件に合致するか否かを判定する（ｓ８０３）。ここで条件に合致しない場合、表示制御装置１０３は、カメラＤの画像を「ｏｌｄ」タブから削除する（ｓ８０４）。一方、条件に合致した場合、表示制御装置１０３は、ｓ８０５以降により、カメラＤの画像を「ｎｅｗ」タブの表示領域に移動する。ｓ８０５からｓ８１０までの処理は、図６のｓ６０３からｓ６０８までの処理と同様となる。
【００２６】
以上の処理により、同時に多数のネットワークカメラで監視すべきイベントが発生した場合でも、「ｎｅｗ」タブの表示領域に表示しきれないネットワークカメラは「ｏｌｄ」タブの表示領域に残る。そのため、監視者は監視すべきネットワークカメラの確認もれを防ぐことができる。上述した実施形態１では、「ｎｅｗ」と「ｏｌｄ」との二つのタブの表示領域に関して記載したが、表示制御装置は、同様の処理により、三つ以上のタブを扱うこともできる。また、複数のタブではなく、表示制御装置は、複数の画像レイアウト（画像レイアウト情報）としてもよい。「ｎｅｗ」タブの表示領域に表示することは、第１の表示形式の一例である。「ｏｌｄ」タブの表示領域に表示することは、第２の表示形式の一例である。また、上述した実施形態１では、「ｏｌｄ」タブの表示領域での画像は「ｎｅｗ」タブの表示領域での画像と比較して表示サイズを小さくした例を用いて説明を行った。しかしながら、表示制御装置は、通信負荷を考慮し、「ｏｌｄ」タブの表示領域での画像はネットワークカメラでの撮像サイズやネットワークカメラからの送信解像度を小さくするように要求を出すようにしてもよい。また、表示制御装置は、「ｏｌｄ」タブの表示領域では取得フレームレート又は表示フレームレートを下げて画像を表示してもよいし、静止画のみを表示するようにしてもよい。ここで、静止画のみを表示する場合、表示制御装置は、表示開始時（ルール合致時）の静止画を表示するようにしてもよい。
【００２７】
また、上述した実施形態１では、「ｎｅｗ」タブの表示領域から「ｏｌｄ」タブの表示領域に画像を移動する優先度と、「ｏｌｄ」タブから削除する優先度と、を各タブの表示領域に表示を開始してから最も表示時間が長いものとして説明を行った。しかし、優先度を発生したイベントレベルとしてもよい。つまり、表示制御装置は、発生したイベントレベルの最も低い画像を移動、又は削除するようにしてもよい。また、表示ルールとして複数の表示条件が設定されているような場合、優先度を、合致している表示条件の条件数としてもよい。つまり、表示制御装置は、合致している表示条件の条件数が最も少ない画像から移動、又は削除するようにしてもよい。このように、画像に付加された付加情報と予め定められた条件とを比較した結果に基づいて、表示されているタブＡの画像のうちの所定の画像を選択し、選択した画像を表示されていないタブＢに移動する。
【００２８】
＜実施形態２＞
実施形態２における監視システムの構成は図１に示した実施形態１と同様である。また、表示ルールに関しても、図２に示した実施形態１のものと同様である。図９から図１１までを用いて、実施形態２の表示制御装置の表示画面を説明する。図９において、画面９０１は表示画面を示している。また、表示領域９０４にはネットワークカメラからの画像を表示するか否かを決定する表示ルールが示されている。実施形態２の表示画面は、実施形態１と同様、それぞれ異なる表示領域９０５と表示領域９０６とを持つ二つのタブ、即ち「ｎｅｗ」タブ９０２と「ｏｌｄ」タブ９０３とを有する。図９の例では、カメラ１からカメラ５までが表示ルールに合致している例である。図９において、９０７から９１１までは、監視者がそのネットワークカメラの画像を、確認済みか否かを示すチェックボックスである。カメラ５、カメラ４、カメラ２のチェックボックス９０７、９０８、９１０はまだ監視者が確認していないことを示している。カメラ３、カメラ１のチェックボックス９０９、９１１は既に監視者により確認済みであることを示している。監視者は、操作入力部１１６等を操作し、チェックボックスにチェックを入れることができる。つまり、表示制御装置１０３は、監視者のチェックボックスへチェックを入れる選択操作に基づいて、画像が確認済みか否かを決定する。表示制御装置１０３は、チェックされていないネットワークカメラが存在するタブ９０２は表示色を変更し、未確認のネットワークカメラが存在することを示すことができる。
【００２９】
次に図１０では、図９の状態からカメラ６からカメラ１０までの順番に表示ルールに合致した例を示している。表示制御装置１０３は、カメラ１０（１００１）を表示する際、「ｎｅｗ」タブの表示領域の表示上限に達している為、何れかのネットワークカメラの画像を「ｏｌｄ」タブの表示領域に移動させる。実施形態２では、表示制御装置１０３は、監視者が確認済みのネットワークカメラから優先的に移動させる。即ち、図１０の例では、表示制御装置１０３は、カメラ１の画像を「ｏｌｄ」タブの表示領域に移動する（１００２）。
次に図１１では、図１０の状態からカメラ１１が表示ルールに合致した例を示している。表示制御装置１０３は、カメラ１１（１１０１）を表示する際、「ｎｅｗ」タブの表示領域の表示上限に達している為、何れかのネットワークカメラを「ｏｌｄ」タブの表示領域に移動させる。ここで、「ｎｅｗ」タブの表示領域に表示されているネットワークカメラのなかで最も長い期間表示されているのはカメラ２（１１０２）であるが、カメラ２は監視者による確認が済んでいない（１１０３）。そのため、表示制御装置１０３は、既に監視者が確認済みのカメラ３を優先的に「ｏｌｄ」タブの表示領域に移動させる（１１０４）。
【００３０】
以上の処理により、多数のネットワークカメラで監視すべきイベントが発生した場合でも、監視者が確認していないネットワークカメラを優先的に「ｎｅｗ」タブの表示領域に残すことができる。また、確認済みのネットワークカメラのみを「ｏｌｄ」タブの表示領域に移動させることができる。よって、監視者に早急な確認を促すこともできる。万一確認していないネットワークカメラが「ｏｌｄ」タブの表示領域に移動した場合も、タブの表示色が変更されているため直ちに視認可能となる。
上述した実施形態２では、監視者の確認有無のためにチェックボックスを使用しているが、同様の効果を持つ範囲で別の形状に変形してもよい。
【００３１】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３２】
以上、上述した各実施形態によれば、多数のネットワークカメラが一定時間内にルールに合致した場合であっても、監視者が画像を認識可能にすることができる。
したがって、短期間に多量のイベントが発生し得る監視環境においても、監視者がイベント発生カメラの確認漏れを防ぐことが可能となる。よって、大量の監視カメラを接続した大規模な監視システムにおいてより効果を発揮する。
【符号の説明】
【００３３】
１０１  ネットワークカメラ、１０２  録画装置、１０３  表示制御装置
【図１】
2015154465.tif 000003
【図２】
2015154465.tif 000004
【図３】
2015154465.tif 000005
【図４】
2015154465.tif 000006
【図５】
2015154465.tif 000007
【図６】
2015154465.tif 000008
【図７】
2015154465.tif 000009
【図８】
2015154465.tif 000010
【図９】
2015154465.tif 000011
【図１０】
2015154465.tif 000012
【図１１】
2015154465.tif 000013